(57)【要約】【課題】画面表示によって、ケーブルが所望の端子に接続されているか否かをユーザが容易に確認することができ、また、所望の端子を容易に探し出すことができる表示装置を実現する。【解決手段】入力端子２５、光出力端子２１、ＨＰ端子２２、出力端子２３、または、入出力端子２６のうち少なくとも何れか１つの端子を備えた表示装置であって、当該表示装置における上記端子の位置を表す位置情報に関連付けて、上記端子にケーブルが接続されているか否かを示す接続情報を表示する制御部１４を備えている。【選択図】図１
2011087254.tif 000002
【特許請求の範囲】
【請求項１】
ケーブルを介して信号が入力される入力端子、ケーブルを介して信号が出力される出力端子、または、ケーブルを介して信号が入出力される入出力端子のうち少なくとも何れか１つの端子を備えた表示装置であって、
当該表示装置における当該端子の位置を表す位置情報に関連付けて、当該端子にケーブルが接続されているか否かを示す接続情報を表示する接続情報表示手段を備えている、
ことを特徴とする表示装置。
【請求項２】
上記位置情報は、上記端子が形成された形成面を表す図像である、
ことを特徴とする請求項１に記載の表示装置。
【請求項３】
上記接続情報表示手段は、上記出力端子にケーブルが接続されていない場合に、上記出力端子への信号の供給を停止する、
ことを特徴とする請求項１または２に記載の表示装置。
【請求項４】
上記接続情報表示手段は、上記入出力端子にケーブルが接続されていない場合に、上記入出力端子への信号の供給を停止する、
ことを特徴とする請求項１から３の何れか１項に記載の表示装置。
【請求項５】
上記接続情報表示手段は、上記出力端子に対して上記表示装置外から信号が供給されている場合に、警告を表示する、
ことを特徴とする請求項１から４の何れか１項に記載の表示装置。
【請求項６】
上記接続情報表示手段は、上記入力端子に対して上記表示装置外から信号が供給されているか否かを示す入力情報を更に表示する、
ことを特徴とする請求項１から５の何れか１項に記載の表示装置。
【請求項７】
上記接続情報表示手段は、上記出力端子に対して上記表示装置内から信号が供給されているか否かを示す出力情報を更に表示する、
ことを特徴とする請求項１から６の何れか１項に記載の表示装置。
【請求項８】
上記接続情報表示手段は、上記入出力端子に対して上記表示装置内から信号が供給されているか否か、および、上記入出力端子に対して上記表示装置外から信号が供給されているか否かを示す入出力情報を更に表示する、
ことを特徴とする請求項１から７の何れか１項に記載の表示装置。
【請求項９】
スピーカを更に備え、上記接続情報表示手段は、当該スピーカに当該表示装置内から信号を供給しているか否かを示すスピーカ出力情報を更に表示する、
ことを特徴とする請求項１から８の何れか１項に記載の表示装置。
【請求項１０】
ケーブルを介して信号が入力される入力端子、ケーブルを介して信号が出力される出力端子、または、ケーブルを介して信号が入出力される入出力端子のうち少なくとも何れか１つの端子を備えた表示装置を用いた表示方法であって、
当該表示装置における当該端子の位置を表す位置情報に関連付けて、当該端子にケーブルが接続されているか否かを示す接続情報を表示する接続情報表示ステップを含む、
ことを特徴とする表示方法。
【請求項１１】
コンピュータを請求項１から９の何れか１項に記載の表示装置として動作させるプログラムであって、上記コンピュータを上記表示装置が備えている各手段として機能させるためのプログラム。
【請求項１２】
請求項１１に記載のプログラムを記録しているコンピュータ読取り可能な記録媒体。
【請求項１３】
有線伝送路又は無線伝送路を介して他の装置と通信する通信部を備えた表示装置であって、
当該表示装置における上記通信部の位置を表す位置情報に関連付けて、上記伝送路を介して通信可能な状態であるか否かを示す接続情報を表示する接続情報表示手段を備えている、
ことを特徴とする表示装置。
【発明の詳細な説明】
【技術分野】
【０００１】
本発明は、テレビジョン受像機やディスプレイ等の表示装置に関する。特に、信号端子の接続状態を表示することのできる接続状態表示機能を備えた表示装置に関する。
【背景技術】
【０００２】
近年、大型の液晶パネルを備えた表示装置が盛んに用いられている。また、そのような表示装置は、周辺機器と接続されることによって、様々な態様で用いられている。
【０００３】
例えば、表示装置は、ＤＶＤプレーヤやＢＤプレーヤなどの周辺機器と信号ケーブル（以下、単にケーブルと呼ぶ）を介して接続されることにより、それらの機器によって再生されたコンテンツデータに基づいて、コンテンツを表示することができる。また、表示装置は、他の表示装置とケーブルを介して接続されることにより、当該他の表示装置にコンテンツデータを供給することもできるし、ヘッドホン、又は、アンプなどの周辺機器とケーブルを介して接続されることにより、それらの機器にコンテンツの音声信号を供給することもできる。
【０００４】
しかしながら、一般に、表示装置は、外部の接続機器と信号ケーブル（以下、単にケーブルと呼ぶ）で通信するための外部接続端子や光通信用の信号で通信するための送受信通信手段を多数備えているため、所望の使用端子を見つけることは極めて煩雑な作業である。また、ケーブルを接続する端子は、多くの場合、表示装置の背面に配置されているため、所望の端子にケーブルが接続されているか否かを把握することは手間のかかる作業である。また、所望の入力端子に信号が入力されているか否か、所望の出力端子から信号が出力されているか否か、又は、出力端子に誤って信号が入力されていないか、又は接続された外部機器側の電源が通電状態にあるかどうか等を確認することは、極めて困難な作業である。
【０００５】
特許文献１には、表示手段の画面に電子機器の入出力状態を表示するパターンを映出させると共に複数の種類の異なる映像信号および音響信号に対応して、該パターンを色分け表示する入出力状態表示装置が開示されている。上記入出力状態表示装置によれば、ユーザは、上記入出力状態表示装置から上記電子機器への信号の出力状態や、上記電子機器から上記入出力状態表示装置への信号の入力状態を視覚的に確認することができる。
【先行技術文献】
【特許文献】
【０００６】
【特許文献１】特開平５−１６１０８４（平成５年（１９９３）６月２５日公開）
【発明の概要】
【発明が解決しようとする課題】
【０００７】
しかしながら、例えば、上記従来の入出力状態表示装置に新たな電子機器を接続するため、上記入出力状態表示装置の信号端子にケーブルを抜き差しするような場合には、ユーザが所望の端子を見つけることは極めて煩雑であるという問題がある。また、所望の端子にケーブルが接続されているか否かを把握することも極めて手間がかかるという問題がある。
【０００８】
本発明は、上記の問題に鑑みてなされたものであり、その目的は、画面表示を参照することによって、ユーザが所望の端子の位置を容易に特定することができ、また、特定の位置にある端子にケーブル接続されているか否かを容易に把握することのできる表示装置を実現することにある。
【課題を解決するための手段】
【０００９】
上記の課題を解決するために、本発明に係る表示装置は、ケーブルを介して信号が入力される入力端子、ケーブルを介して信号が出力される出力端子、または、ケーブルを介して信号が入出力される入出力端子のうち少なくとも何れか１つの端子を備えた表示装置であって、当該表示装置における当該端子の位置を表す位置情報に関連付けて、当該端子にケーブルが接続されているか否かを示す接続情報を表示する接続情報表示手段を備えている、ことを特徴としている。
【００１０】
一般に、表示装置は、ケーブルを接続するための端子を多数備えているため、所望の端子を見つけることは極めて煩雑な作業である。また、ケーブルを接続する端子は、多くの場合、表示装置の背面に配置されているため、所望の端子にケーブルが接続されているか否かを確認することは手間のかかる作業である。
【００１１】
上記の構成によれば、当該表示装置における当該端子の位置を表す位置情報に関連付けて、当該端子にケーブルが接続されているか否かを示す接続情報を表示することができる。したがって、ユーザは、画面表示を参照することによって、所望の端子の位置を容易に特定することができるという効果を奏する。また、ユーザは、画面表示を参照することによって、特定の位置にある端子にケーブル接続されているか否かを容易に把握することができるという効果を奏する。
【００１２】
また、上記位置情報は、上記端子が形成された形成面を表す図像であることが好ましい。
【００１３】
上記の構成によれば、上記端子が形成された形成面を表す図像と関連付けて、上記端子にケーブルが接続されているか否かを示す接続情報を表示することができる。したがって、ユーザは、上記表示装置の上記端子が形成された形成面における上記端子の位置を確認しながら当該端子の接続状態を確認することができるという更なる効果を奏する。
【００１４】
また、ユーザは、上記表示装置の上記端子が形成された形成面における上記端子の位置を視覚的に確認することができるので、上記表示装置における上記端子をより一層容易に見出すことができるという更なる効果を奏する。
【００１５】
また、上記接続情報表示手段は、上記出力端子にケーブルが接続されていない場合に、上記出力端子への信号の供給を停止することが好ましい。
【００１６】
上記の構成によれば、上記出力端子にケーブルが接続されていない場合に、上記出力端子への信号の供給を停止することができるので、電力の浪費を抑止することができるという更なる効果を奏する。
【００１７】
また、上記接続情報表示手段は、上記入出力端子にケーブルが接続されていない場合に、上記入出力端子への信号の供給を停止することが好ましい。
【００１８】
上記の構成によれば、上記入出力端子にケーブルが接続されていない場合に、上記入出力端子への信号の供給を停止することができるので、電力の浪費を抑止することができるという更なる効果を奏する。
【００１９】
また、上記接続情報表示手段は、上記出力端子に対して上記表示装置外から信号が供給されている場合に、警告を表示することが好ましい。
【００２０】
上記の構成によれば、上記出力端子に対して上記表示装置外から信号が供給されている場合に、警告画像を表示することができる。従って、ユーザが、出力端子に誤って入力ケーブルを接続した場合であっても、当該接続が誤接続であることを直ちに認識することができるという更なる効果を奏する。
【００２１】
また、上記接続情報表示手段は、上記入力端子に対して上記表示装置外から信号が供給されているか否かを示す入力情報を更に表示することが好ましい。
【００２２】
上記の構成によれば、上記入力端子に対して上記表示装置外から信号が供給されているか否かを示す入力情報を更に表示することができるので、ユーザは、上記入力端子に対して、上記表示装置外から信号が供給されているか否かを容易に把握することができるという更なる効果を奏する。
【００２３】
また、上記接続情報表示手段は、上記出力端子に対して上記表示装置内から信号が供給されているか否かを示す出力情報を更に表示することが好ましい。
【００２４】
上記の構成によれば、上記出力端子に対して上記表示装置内から信号が供給されているか否かを示す出力情報を更に表示することができるので、ユーザは、上記出力端子に対して、上記表示装置内から信号が供給されているか否かを容易に把握することができるという更なる効果を奏する。
【００２５】
また、上記接続情報表示手段は、上記入出力端子に対して上記表示装置内から信号が供給されているか否か、および、上記入出力端子に対して上記表示装置外から信号が供給されているか否かを示す入出力情報を更に表示することが好ましい。
【００２６】
上記の構成によれば、上記入出力端子に対して上記表示装置内から信号が供給されているか否か、および、上記入出力端子に対して上記表示装置外から信号が供給されているか否かを示す入出力情報を更に表示することができるので、ユーザは、上記入出力端子に対して上記表示装置内から信号が供給されているか否か、および、上記入出力端子に対して上記表示装置外から信号が供給されているか否かを容易に把握することができるという更なる効果を奏する。
【００２７】
また、上記表示装置は、スピーカを更に備え、上記接続情報表示手段は、当該スピーカに当該表示装置内から信号を供給しているか否かを示すスピーカ出力情報を更に表示する、ことが好ましい。
【００２８】
上記の構成によれば、上記表示装置は、スピーカを更に備え、当該スピーカに当該表示装置内から信号を供給しているか否かを示すスピーカ出力情報を更に表示することができるので、ユーザが、当該スピーカに当該表示装置内から信号が供給されているか否かを容易に把握することができるという更なる効果を奏する。
【００２９】
また、本発明に係る表示方法は、ケーブルを介して信号が入力される入力端子、ケーブルを介して信号が出力される出力端子、または、ケーブルを介して信号が入出力される入出力端子のうち少なくとも何れか１つの端子を備えた表示装置を用いた表示方法であって、当該表示装置における当該端子の位置を表す位置情報に関連付けて、当該端子にケーブルが接続されているか否かを示す接続情報を表示する接続情報表示ステップを含む、ことを特徴としている。
【００３０】
上記の方法によれば、上記表示装置と同様の効果を奏する。
【００３１】
また、コンピュータを上記表示装置として動作させるプログラムであって、上記コンピュータを上記表示装置が備えている各手段として機能させるためのプログラム、および、それらのプログラムを記録したコンピュータ読み取り可能な記録媒体についても本発明の範疇に含まれる。
【００３２】
また、本発明に係る表示装置は、有線伝送路又は無線伝送路を介して他の装置と通信する通信部を備えた表示装置であって、当該表示装置における上記通信部の位置を表す位置情報に関連付けて、上記伝送路を介して通信可能な状態であるか否かを示す接続情報を表示する接続情報表示手段を備えていてもよい。
【００３３】
上記の構成によれば、有線伝送路であるケーブルを介して接続された場合のみならす、無線伝送路を介して接続された場合であっても、上記通信部の位置を表す位置情報に関連付けて、上記伝送路を介して通信可能な状態であるか否かを示す接続情報を表示することができる。
【発明の効果】
【００３４】
以上のように、本発明に係る表示装置は、ケーブルを介して信号が入力される入力端子、ケーブルを介して信号が出力される出力端子、または、ケーブルを介して信号が入出力される入出力端子のうち少なくとも何れか１つの端子を備えた表示装置であって、当該表示装置における当該端子の位置を表す位置情報に関連付けて、当該端子にケーブルが接続されているか否かを示す接続情報を表示する、ことを特徴としている。
【００３５】
したがって、ユーザは、ケーブルが所望の端子に接続されているか否かを容易に確認することができる。
【図面の簡単な説明】
【００３６】
【図１】実施形態に係る表示装置の構成を示すブロック図である。
【図２】実施形態に係る表示装置における端子の構成を示すものであって、（ａ）は、３極型のヘッドホンプラグに対応したＨＰ端子の構成の一例を示す回路図であり、（ｂ）は、出力端子の構成の一例を示す回路図である。
【図３】実施形態に係る表示装置の表示部に表示されるアイコンの例の一覧を示すものであって、（ａ）は、スピーカからの出力状態を示すアイコンの一例であり、（ｂ）は、ＨＰ端子からの出力状態を示すアイコンの一例であり、（ｃ）は、光出力端子からの出力状態を示すアイコンの一例であり、（ｄ）は、出力端子からの出力状態を示すアイコンの一例であり、（ｅ）は、入力端子への入力状態を示すアイコンの一例である。
【図４】実施形態に係る表示装置の表示部に表示される画像の例を示すものであって、（ａ）は、スピーカに対して音声信号が供給されている場合に表示される画像の一例であり、（ｂ）は、光出力端子に光信号が供給されておらず、入力端子に入力ケーブルが未接続であり、出力端子から出力信号が出力されている場合に表示される画像の一例であり、（ｃ）は、他の入力端子に入力ケーブルが未接続であり、ＨＰ端子にヘッドホンケーブルが接続されていない場合に表示される画像の一例である。
【図５】実施形態に係る表示装置の表示部に表示される画像の例を示すものであって、（ａ）は、スピーカに対して音声信号が供給されていない場合に表示される画像の一例であり、（ｂ）は、光出力端子に光信号が供給されておらず、入力端子に入力ケーブルが未接続であり、出力端子に出力ケーブルが未接続である場合に表示される画像の一例であり、（ｃ）は、他の入力端子に入力ケーブルが未接続であり、ＨＰ端子からＨＰ音声信号が出力されている場合に表示される画像の一例である。
【図６】実施形態に係る表示装置の表示部に表示される画像の例を示すものであって、（ａ）は、スピーカに対して音声信号が供給されている場合に表示される画像の一例であり、（ｂ）は、光出力端子に光信号が供給されておらず、入力端子から入力信号が入力されており、出力端子に出力ケーブルが未接続である場合に表示される画像の一例であり、（ｃ）は、他の入力端子に入力ケーブルが未接続であり、ＨＰ端子にヘッドホンケーブルが接続されていない場合に表示される画像の一例である。
【図７】実施形態に係る表示装置の表示部に表示される画像の例を示すものであって、（ａ）は、スピーカに対して音声信号が供給されている場合に表示される画像の一例であり、（ｂ）は、光出力端子に光信号が供給されておらず、入力端子に入力ケーブルが未接続であり、出力端子が誤った接続状態にある場合に表示される画像の一例であり、（ｃ）は、他の入力端子に入力ケーブルが未接続であり、ＨＰ端子にヘッドホンケーブルが接続されていない場合に表示される画像の一例である。
【図８】実施形態に係る表示装置の表示部に表示される警告画像の例を示すものである。
【発明を実施するための形態】
【００３７】
本発明に係る表示装置１の構成について、図１を参照して説明する。図１は、本実施形態に係る表示装置１の構成を示したブロック図である。
【００３８】
表示装置１は、概略的に言って、アンテナから供給される放送信号や、外部から供給される入力信号に基づき、画像を表示したり、複数の画像を逐次的に表示したりすることによって、映像を表示するための装置である。
【００３９】
図１に示すように、表示装置１は、チューナ部１１、操作部１２、入出力部１３、制御部（接続情報表示手段）１４、表示部１５、スピーカＳＰ、光出力端子２１、ＨＰ端子２２、出力端子２３、比較部２４、入力端子２５、及び、入出力端子２６を備えている。
【００４０】
操作部１２は、ユーザから選局指示を受けると、チューナ部１１に対して選局指示信号＃１２ａを出力する。また、操作部１２は、ユーザから信号の入出力に関する制御指示を受けると、入出力部１３に対して、入出力制御信号＃１２ｃを出力し、ユーザから端子の接続状態の表示指示を受けると、接続状態表示信号＃１２ｂを出力する。
【００４１】
チューナ部１１は、操作部１２から供給される選局指示信号＃１２ａに基づき、図示しないアンテナから供給される放送信号から所定の周波数成分を抽出し、特定周波数信号＃１１を生成する。
【００４２】
入出力部１３は、入出力制御信号＃１２ｃに応じて、上記の特定周波数信号＃１１、入力端子２５から供給される入力信号＃２５ｂ、または、入出力端子２６から供給される入力信号＃２６ｂの何れかから画像信号、および、音声信号を抽出し、それぞれ、画像データ＃１３０、および、音声信号＃１３ａを生成する。生成された画像データ＃１３０、および、音声信号＃１３ａは、それぞれ、制御部１４、および、スピーカＳＰに対して出力される。
【００４３】
また、入出力部１３は、入出力制御信号＃１２ｃに応じて、光出力端子２１に対して光信号＃１３ｂを出力し、ＨＰ端子２２に対してＨＰ音声信号＃１３ｃを出力する。また、入出力部１３は、入出力制御信号＃１２ｃに応じて、出力端子２３に対して、出力信号＃１３ｄを出力し、入出力端子２６に対して、出力信号＃１３ｅを出力する。入出力部１３の他の動作については、後に詳述するため、ここでは説明を省略する。
【００４４】
光出力端子２１には、光ケーブルが接続される。光出力端子２１は、入出力部１３から供給される光信号＃１３ｂを光ケーブルに供給する。光信号＃１３ｂは、例えば、デジタル音声データを伝送するための光パルス信号である。
【００４５】
ＨＰ端子２２には、ヘッドホンケーブルが接続される。ＨＰ端子２２は、入出力部１３から供給されるＨＰ音声信号＃１３ｃをヘッドホンケーブルに供給する。ＨＰ音声信号＃１３ｃは、ヘッドホンを駆動するための駆動信号であり、左成分信号＃１３ｃ１と、右成分信号＃１３ｃ２とから成っている。また、ＨＰ端子２２は、自身にヘッドホンケーブルが接続されているか否かを判別するために用いられる電位信号＃２２を出力する。電位信号＃２２については、後に詳述するため、ここでは説明を省略する。
【００４６】
出力端子２３には、出力ケーブルが接続される。出力端子２３は、入出力部１３から供給される出力信号＃１３ｄを出力ケーブルに供給する。出力端子２３、および、上記出力ケーブルは、例えばＲＣＡ端子、および、ＲＣＡケーブルである。また、出力信号＃１３ｄは、例えば、映像音声信号である。また、出力端子２３は、自身に出力ケーブルが接続されているか否かを判別するために用いられる電位信号＃２３ａを出力する。電位信号＃２３ａについては、後に詳述するため、ここでは説明を省略する。
【００４７】
比較部２４は、出力端子２３の端子電位を表す端子電位信号＃２３ｂと出力信号＃１３ｄとを比較し、比較信号＃２４を生成する。より具体的には、端子電位信号＃２３ｂと出力信号＃１３ｂとの電位差が予め定められた閾値よりも小さければ、値がローレベルである比較信号＃２４を生成し、端子電位信号＃２３ｂと出力信号＃１３ｂとの電位差が予め定められた閾値以上であれば、値がハイレベルである比較信号＃２４を生成する。生成された比較信号＃２４は、制御部１４に入力される。
【００４８】
比較信号＃２４の値は、出力端子２３の接続状態が誤った接続状態にあるか否かの判定に用いることができる。例えば、出力端子２３に入力ケーブルが接続され、信号が入力されているような場合には、端子電位信号＃２３ｂの値と出力信号＃１３ｄの値とは異なる。このような場合には、値がハイレベルである比較信号＃２４が生成される。一方で、出力端子２３に出力ケーブルが正常に接続されている場合には、端子電位信号＃２３ｂの値と出力信号＃１３ｄの値とは略同一である。このような場合には、値がローレベルである比較信号＃２４が生成される。
【００４９】
入力端子２５には、入力ケーブルが接続される。入力端子２５は、入力ケーブルを介して伝送される入力信号を受け、入力信号＃２５ｂとして入出力部１３に対して出力する。入力端子２５、および、上記入力ケーブルは、例えば、それぞれ、Ｄ端子、および、Ｄ端子ケーブルである。また、入力端子２５は、自身に入力ケーブルが接続されているか否かを判別するために用いられる電位信号＃２５ａを出力する。
【００５０】
入出力端子２６には、入出力ケーブルが接続される。入出力端子２６は、入出力ケーブルを介して伝送される入力信号＃２６ｂを受け、入出力部１３に出力する。また、入出力部１３から供給された出力信号＃１３ｅを上記入出力ケーブルに出力する。入出力端子２６、および、上記入出力ケーブルは、例えば、それぞれ、ＨＤＭＩ端子、および、ＨＤＭＩケーブルである。また、入力信号＃２６ｂ、および、出力信号＃１３ｅは、例えば、それぞれ、デジタル音声映像信号、および、ＣＥＣ（Ｃｏｎｓｕｍｅｒ  Ｅｌｅｃｔｒｏｎｉｃｓ  Ｃｏｎｔｒｏｌ）信号である。また、入出力端子２６は、自身に入出力ケーブルが接続されているか否かを判別するために用いられる電位信号＃２６ａを出力する。
【００５１】
制御部１４は、概略的に言って、制御信号＃１２ｂ、画像データ＃１３０、音声信号＃１３ａ、光信号＃１３ｂ、ＨＰ音声信号＃１３ｃ、出力信号＃１３ｄ、出力信号＃１３ｅ、入力信号＃２５ｂ、入力信号＃２６ｂ、電位信号＃２２、電位信号＃２３ａ、比較信号＃２４、電位信号＃２５ａ、および、電位信号＃２６ａに基づいて、画像データ＃１４を生成し、表示部１５に供給する。また、制御部１４は、制御信号＃１３１によって入出力部１３における各種出力信号の出力の開始、および、停止を制御する。例えば、制御部１４は、ＨＰ端子２２、出力端子２２、および、入出力端子２６のうち、何れかにケーブルが接続されていないと判定した場合には、当該端子への信号の供給を停止するように入出力部１３を制御する。これによって、電力の浪費を抑止することができる。制御部１４のその他の具体的な動作については、後に詳述するため、ここでは説明を省略する。
【００５２】
表示部１５は、制御部１４から供給される画像データ＃１４に基づき、画像を表示する。
【００５３】
図２は、表示装置１における端子の構成を示すものであって、図２（ａ）は、３極（ＴＲＳ）型のヘッドホンプラグに対応したＨＰ端子２２の構成の一例を示すものであり、図２（ｂ）は、出力端子２３の構成の一例を示すものである。
【００５４】
図２（ａ）に示すように、ＨＰ端子２２は、ヘッドホンプラグＰのチップ端子Ｔに接触するチップ電極Ｔｅ、ヘッドホンプラグＰのリング端子Ｒに接触するリング電極Ｒｅ、および、ヘッドホンプラグＰのスリーブ端子Ｓに接触するスリーブ電極Ｓｅを備えている。なお、ヘッドホンプラグＰは、ヘッドホンケーブルの末端である。チップ電極Ｔｅには、ＨＰ音声信号＃１３ｃの左成分信号＃１３ｃ１が供給され、リング電極Ｒｅには、ＨＰ音声信号＃１３ｃの右成分信号＃１３ｃ２が供給されている。また、図２（ａ）に示すように、スリーブ電極Ｓｅは、接地されている。また、チップ電極Ｔｅには、一端が電源Ｖｃｃに接続された抵抗Ｒ１のもう一端が接続されている。また、チップ電極Ｔｅには、電位検出用の伝送路Ｄｅが接続されており、伝送路Ｄｅには、一端が接地された抵抗Ｒ２のもう一端が接続されている。
【００５５】
チップ電極Ｔｅの電位は、伝送路Ｄｅを介して電位信号＃２２として制御部１４に入力される。なお、チップ電極Ｔｅの電位は、ＨＰ端子２２にヘッドホンプラグＰが接続されていない状態では、電源Ｖｃｃの電位にほぼ等しく、ＨＰ端子２２にヘッドホンプラグＰが接続されている状態では、グラウンド電源にほぼ等しい。したがって、制御部１４は、電位信号＃２２の電位がローレベル（グラウンド電位）であるかハイレベル（電源Ｖｃｃの電位）であるかを判定することにより、ＨＰ端子２２にヘッドホンプラグＰが接続されているか否かを判別することができる。
【００５６】
一方で、図２（ｂ）に示すように、出力端子２３は、信号電極Ａｅ、および、接地電極Ｇｅを備えている。信号電極Ａｅには、出力信号＃１３ｄが供給されている。また、接地電極Ｇｅは接地されている。また、信号電極Ａｅには、一端が電源Ｖｃｃに接続された抵抗Ｒ３のもう一端が接続されている。また、信号電極Ａｅには、電位検出用の伝送路Ｄｅ’が接続されており、伝送路Ｄｅ’には、一端が接地された抵抗Ｒ４のもう一端が接続されている。
【００５７】
信号電極Ａｅの電位は、伝送路Ｄｅ’を介して電位信号＃２３ａとして制御部１４に入力される。なお、信号電極Ａｅの電位は、出力端子２３に出力ケーブルの末端プラグが接続されていない状態では、電源Ｖｃｃの電位にほぼ等しく、出力端子２３に出力ケーブルのプラグが接続されている状態では、グラウンド電位にほぼ等しい。したがって、制御部１４は、電位信号＃２３ａの電位がローレベルであるかハイレベルであるかを判定することによって、出力端子２３に出力ケーブルが接続されているか否かを判別することができる。
【００５８】
また、表示装置１における入力端子２５、および、入出力端子２６の構成もほぼ同様であり、各々の端子における信号電極の電位を、電位信号＃２５ａ、および、電位信号＃２６ａとして出力する。
【００５９】
なお、表示装置１は、上記の光出力端子２１、ＨＰ端子２２、出力端子２３、入力端子２５、および、入出力端子２６をそれぞれ複数備えるような構成としてもよい。
【００６０】
以上が、本実施形態に係る表示装置１の構成である。
【００６１】
以下では、表示装置１の特徴の１つである、入出力状態表示機能について、図３〜図８を参照して説明する。
【００６２】
図３は、表示装置１の表示部１５に表示されるアイコンの例の一覧を示すものであって、図３（ａ）はスピーカＳＰからの出力状態を示すアイコンであり、図３（ｂ）は、ＨＰ端子２２からの出力状態を示すアイコンであり、図３（ｃ）は、光出力端子２１からの出力状態を示すアイコンであり、図３（ｄ）は、出力端子２３からの出力状態を示すアイコンであり、図３（ｅ）は、入力端子２５への入力状態を示すアイコンである。
【００６３】
図３（ａ）は、入出力部１３が音声信号＃１３ａを出力している場合（「出力中」）に表示されるアイコン、および、入出力部１３が音声信号＃１３ａを出力可能な状態ではあるが、音声信号＃１３ａを出力していない場合（「出力可能（信号停止中）」）に表示されるアイコンを示している。
【００６４】
図３（ａ）に示すように、両者のアイコンは、ユーザが識別可能な態様で表示される。すなわち、両者のアイコンは互いに形状が異なるか、色彩が異なるか、又は模様などが異なる。例えば、両者のアイコンは、互いに異なった色で表示される。本実施形態においては、「出力中」に対応するアイコンは、青色で表示され、「出力可能（信号停止中）」に対応するアイコンは、緑色で表示される。
【００６５】
図３（ｂ）は、入出力部１３がＨＰ音声信号＃１３ｃを出力している場合（「出力中」）に表示されるアイコン、入出力部１３がＨＰ音声信号＃１３ｃを出力可能な状態ではあるが、ＨＰ音声信号＃１３ｃを出力していない場合（「出力可能（信号停止中）」）に表示されるアイコン、および、ＨＰ端子２２にヘッドホンプラグＰが接続されていない場合（「端子が未接続状態」）に表示されるアイコンの一例を示している。
【００６６】
図３（ｂ）に示すように、上記３種類のアイコンは、互いに、ユーザが識別可能な態様で表示される。本実施形態においては、「出力中」に対応するアイコンは、青色で表示され、「出力可能（信号停止中）」に対応するアイコンは、緑色で表示され、「端子が未接続状態」に対応するアイコンは、緑色と灰色との組み合わせによって表示される。
【００６７】
なお、ＨＰ端子２２にヘッドホンプラグＰが接続されているか否かの判定は、制御部１４において行われる。具体的には、制御部１４は、ＨＰ端子２２からの電位信号＃２２がハイレベルである場合に、「端子が未接続状態」であると判定する。
【００６８】
図３（ｃ）は、入出力部１３が光信号＃１３ｂを出力している場合（「出力中」）、および、入出力部１３が光信号＃１３ｂを出力可能な状態ではあるが、光信号＃１３ｂを出力していない場合（「出力可能（信号停止中）」）に表示されるアイコンの一例を示している。
【００６９】
図３（ｃ）に示すように、両者のアイコンは、ユーザが識別可能な態様で表示される。本実施形態においては、「出力中」に対応するアイコンは、青色で表示され、「出力可能（信号停止中）」に対応するアイコンは、緑色で表示される。
【００７０】
なお、音声信号＃１３ａが出力中であるか否かの判定、光信号＃１３ｂが出力中であるか否かの判定、および、ＨＰ音声信号＃１３ｃが出力中であるか否かの判定は、制御部１４において行われる。
【００７１】
具体的には、制御部１４は、音声信号＃１３ａの信号レベルが予め定められた閾値よりも小さい場合には、「出力可能（信号停止中）」であると判定し、音声信号＃１３ａの信号レベルが予め定められた閾値以上である場合には、「出力中」であると判定する。
【００７２】
また、制御部１４は、光信号＃１３ｂの信号レベルが予め定められた閾値以上のパルスを含まない場合には、「出力可能（信号停止中）」であると判定し、光信号＃１３ｂの信号レベルが予め定められた閾値以上のパルスを含む場合には、「出力中」であると判定する。
【００７３】
また、制御部１４は、ＨＰ音声信号＃１３ｃの信号レベルが予め定められた閾値よりも小さい場合には、「出力可能（信号停止中）」であると判定し、ＨＰ音声信号＃１３ｃの信号レベルが予め定められた閾値以上である場合であって、電位信号＃２２がローレベルである場合に、「出力中」であると判定する。
【００７４】
図３（ｄ）は、入出力部１３が出力信号＃１３ｄを出力している場合（「出力中」）に表示されるアイコン、入出力部１３が出力信号＃１３ｄを出力可能な状態ではあるが、出力信号＃１３ｄを出力していない場合（「出力可能（信号停止中）」）に表示されるアイコン、出力端子２３に出力ケーブルが接続されていない場合（「出力端子が未接続状態」）に表示されるアイコン、および、出力端子２３が誤った接続状態にある場合（「誤った接続状態」）に表示されるアイコンの一例を示している。
【００７５】
図３（ｄ）に示すように、上記４種類のアイコンは、互いに、ユーザが識別可能な態様で表示される。本実施形態においては、「出力中」に対応するアイコンは、青色で表示され、「出力可能（信号停止中）」に対応するアイコンは、緑色で表示され、「出力端子が未接続状態」に対応するアイコンは、緑色と灰色との組み合わせによって表示され、「誤った接続状態」に対応するアイコンは、赤色で表示される。
【００７６】
なお、出力信号＃１３ｄが出力中であるか否かの判定、および、出力端子２３に出力ケーブルが接続されているか否かの判定は、ＨＰ端子２２に関しての判定と同様に行うことができる。
【００７７】
また、出力端子２３が誤った接続状態にあるか否かの判定は、例えば、比較部２４からの比較信号＃２４の値を制御部１４において判定することにより行うことができる。具体的には、制御部１４は、比較部２４からの比較信号＃２４の値がハイレベルである場合には、「誤った接続状態」であると判定する。
【００７８】
図３（ｅ）は、入力端子２５から入出力部１３に入力信号が入力されている場合（「入力中」）に表示されるアイコン、入力端子２５から入出力部１３に入力信号が入力可能であるが、入力信号が入力されていない場合（「入力可能（信号が未入力）」）に表示されるアイコン、入力端子２５に入力ケーブルが接続されていない場合（「入力端子が未接続状態」）に表示されるアイコン、および、入力端子２５が誤った接続状態にある場合（「誤った接続状態」）に表示されるアイコンの一例を示している。
【００７９】
図３（ｅ）に示すように、上記４種類のアイコンは、互いに、ユーザが識別可能な態様で表示される。また、「入力中」に対応するアイコンと、図３（ａ）〜（ｄ）における「出力中」に対応するアイコンとは互いに識別可能であることが好ましい。また、「入力可能（信号が未入力）」に対応するアイコンと、図３（ａ）〜（ｄ）における「出力可能（信号停止中）」に対応するアイコンとは互いに識別可能であることが好ましい。また、「入力端子が未接続状態」に対応するアイコンと、図３（ｄ）における「出力端子が未接続状態」に対応するアイコンとは互いに識別可能であることが好ましい。本実施形態においては、「入力中」に対応するアイコンは、紫色で表示され、「入力可能（信号が未入力）」に対応するアイコンは、黄色で表示され、「入力端子が未接続状態」に対応するアイコンは、黄色と灰色との組み合わせによって表示され、「誤った接続状態」に対応するアイコンは、赤色で表示される。
【００８０】
なお、入力信号＃２５ｂが入力中であるか否かの判定は、入力信号＃２５ｂの値を参照することにより、制御部１４において行われる。制御部１４は、入力信号＃２５ｂの値が予め定められた閾値よりも小さい場合であって、電位信号＃２５ａがローレベル、すなわち、入力端子２５に入力ケーブルが接続されている場合には、「入力可能（信号が未入力）」であると判定し、入力信号＃２５ｂの値が予め定められた閾値以上である場合には、「入力中」であると判定する。なお、入力端子２５に入力ケーブルが接続されているか否かの判定は、電位信号＃２５ａを参照することにより、上述したＨＰ端子２２と同様に行うことができる。
【００８１】
また、入力端子２５が誤った接続状態にあるか否かの判定は、例えば、入力信号＃２５ｂの値を参照することによって、制御部１４において行うことができる。例えば、入力信号＃２５ｂの値が予め定められた閾値よりも大きい場合、「誤った接続状態」であると判定する。
【００８２】
また、入出力端子２６の入出力状態に関しても、上記の説明とほぼ同様である。
【００８３】
続いて、表示装置１の表示部１５に表示される表示画像について、図４〜図８を参照して説明する。
【００８４】
図４（ａ）〜（ｃ）は、入出力部１３からスピーカＳＰに対して音声信号＃１３ａが出力され、出力端子２３に対して出力信号＃１３ｄが出力されている場合であって、光信号＃１３ｂが出力されておらず、入力端子２５（「入力１」に対応）および入力端子２５と同様の入力端子（「入力２」に対応）のいずれにも入力ケーブルが接続されておらず、ＨＰ端子２２にヘッドホンケーブルが接続されていない場合に、表示装置１の表示部１５に表示される表示画像の例を示している。
【００８５】
図４（ａ）は、表示装置１の前面に配置されたスピーカＳＰの出力状態を示す表示画像の一例であり、図４（ｂ）は、表示装置１の背面に配置された光出力端子２１の出力状態、入力端子２５の入力状態、および、出力端子２３の出力状態を示す表示画像の一例であり、図４（ｃ）は、表示装置１の側面に配置された、入力端子２５と同様の入力端子の入力状態、および、ＨＰ端子２２の出力状態を示す表示画像の一例である。
【００８６】
音声信号＃１３ａが出力されているときには、図４（ａ）に示すように、表示部１５には、表示装置１の前面の図像と共に、当該図像におけるスピーカＳＰに対応した位置に「出力中」に対応するアイコンが表示される。
【００８７】
光信号＃１３ｂが出力されていないときには、図４（ｂ）に示すように、表示部１５には、表示装置１の背面における信号端子が形成された形成面を表す図像、すなわち、信号端子の配置を示す図像と共に、当該図像における光出力端子２１に対応した位置に「出力可能（信号停止中）」に対応するアイコンが表示される。また、入力端子２５に入力ケーブルが接続されていないときには、図４（ｂ）に示すように、上記図像における入力端子２５に対応した位置に、「入力端子が未接続状態」に対応するアイコンが表示される。また、出力信号＃１３ｄが出力されているときには、図４（ｂ）に示すように、上記図像におけ出力端子２３に対応した位置に、「出力中」に対応するアイコンが表示される。
【００８８】
表示装置１の側面に配置された、入力端子２５と同様の入力端子に入力ケーブルが接続されていないときには、図４（ｃ）に示すように、表示装置の側面における信号端子の配置を示す図像と共に、当該図像における入力端子に対応した位置に「入力端子が未接続状態」に対応するアイコンが表示される。また、ＨＰ端子２２にヘッドホンケーブルが接続されていないときには、図４（ｃ）に示すように、上記図像におけるＨＰ端子２２に対応した位置に、「端子が未接続状態」に対応するアイコンが表示される。
【００８９】
なお、図４（ａ）〜（ｃ）に示す表示画像の画像データは、制御部１４において生成される。
【００９０】
また、図４（ａ）〜（ｃ）に示す表示画像は、ユーザからの指示により表示される。より具体的には、ユーザが操作部１２に対して、端子の接続状態の表示指示を行うと、操作部１２は、制御部１４に対して、接続状態表示信号＃１２ｂを出力する。接続状態表示信号＃１２ｂを受けた制御部１４は、図４（ａ）〜（ｃ）に示す表示画像を表示部１５に表示させる。ただし、表示装置１の端子の接続状態が変化した場合（例えば、入力端子２５に対して外部から入力信号の入力が開始された場合や、出力端子２３に対して入出力部１３が出力信号＃１３ｄの供給を停止した場合など）には、ユーザからの指示が無くとも、図４（ａ）〜（ｃ）に示す表示画像を表示するような構成としてもよい。また、図４（ａ）〜（ｃ）に示す表示画像が表示部１５に同時に表示されるような構成としてもよいし、表示部１５に順次表示されるような構成としてもよい。
【００９１】
また、上記の説明では、信号端子の配置を示す図像と共に、当該図像における端子に対応した位置にアイコンが表示されるとしたが、本発明はこれに限定されるものではなく、一般に、信号端子の位置を示す位置情報と、当該端子の接続状態を示す接続情報とが関連づけて表示されるものは本発明の範疇に含まれる。例えば、信号端子の配置を示す図像と、当該端子の接続状態を示すアイコンの表示タイミングが異なっていてもよいし、アイコンの代わりに文字情報によって接続状態を表してもよい。
【００９２】
図５（ａ）〜（ｃ）は、入出力部１３からスピーカＳＰに対して音声信号＃１３ａが出力されておらず、出力端子２３に出力ケーブルが接続されていない場合であって、光信号＃１３ｂが出力されておらず、入力端子２５（「入力１」に対応）および入力端子２５と同様の入力端子（「入力２」に対応）のいずれにも入力ケーブルが接続されておらず、ＨＰ端子２２にヘッドホンケーブルが接続され、かつ、ＨＰ音声信号＃１３ｃが出力されている場合に、表示装置１の表示部１５に表示される表示画像の例を示している。
【００９３】
図５（ａ）に示すように、表示装置１の前面の図像におけるスピーカＳＰに対応した位置に「出力可能（信号停止中）」に対応するアイコンが表示される。また、図５（ｂ）に示すように、表示装置１の背面における信号端子の配置を示すと共に、当該図像における出力端子２３に対応した位置に「端子が未接続状態」に対応するアイコンが表示される。また、図５（ｃ）に示すように、表示装置１の側面における信号端子の配置を示すと共に、当該図像におけるＨＰ端子２３に対応した位置に「出力中」に対応するアイコンが表示される。その他の端子に関する表示は、図４（ａ）〜（ｃ）と同様である。
【００９４】
図６（ａ）〜（ｃ）は、入出力部１３からスピーカＳＰに対して音声信号＃１３ａが出力され、出力端子２３に出力ケーブルが接続されていない場合であって、光信号＃１３ｂが出力されておらず、入力端子２５（「入力１」に対応）に入力信号が入力され、入力端子２５と同様の入力端子（「入力２」に対応）に入力ケーブルが接続されておらず、ＨＰ端子２２にヘッドホンケーブルが接続されていない場合に、表示装置１の表示部１５に表示される表示画像の例を示している。
【００９５】
図６（ｂ）に示すように、表示装置１の背面における信号端子の配置を示すと共に、当該図像における入力端子２５に対応した位置に「入力中」に対応するアイコンが表示され、当該図像における出力端子２３に対応した位置に「端子が未接続状態」に対応するアイコンが表示される。その他の端子に関する表示は、図４（ａ）〜（ｃ）と同様である。
【００９６】
図７（ａ）〜（ｃ）は、入出力部１３からスピーカＳＰに対して音声信号＃１３ａが出力され、出力端子２３が誤った接続状態にある場合であって、光信号＃１３ｂが出力されておらず、入力端子２５（「入力１」に対応）および入力端子２５と同様の入力端子（「入力２」に対応）のいずれにも入力ケーブルが接続されておらず、ＨＰ端子２２にヘッドホンケーブルが接続されていない場合に、表示装置１の表示部１５に表示される表示画像の例を示している。
【００９７】
図７（ｂ）に示すように、表示装置１の背面における信号端子の配置を示すと共に、当該図像における出力端子２３に対応した位置に「誤った接続状態」に対応するアイコンが表示される。その他の端子に関する表示は、図４（ａ）〜（ｃ）と同様である。
【００９８】
なお、出力端子２３が誤った接続状態にある場合には、ユーザからの指示が無くとも、ユーザに対し警告を行うような構成としてもよい。一例として、出力端子２３が誤った接続状態にある場合には、図８に示すような警告画像が表示されるような構成としてもよい。
【００９９】
また、出力端子２３が、自身に予め定められた規格の出力ケーブル以外のケーブルが接続された場合に判別信号を出力するセンサーを具備し、制御部１４が当該センサーからの判別信号を判別することにより、出力端子２３に予め定められた規格の出力ケーブル以外のケーブルが接続された場合に、「誤った接続状態」であると判定するような構成としてもよい。
【０１００】
また、そのような構成においては、出力端子２３に予め定められた規格の出力ケーブル以外のケーブルが接続された場合に、ユーザからの指示に応じて図７（ｂ）のような表示画面が表示され、さらに、出力端子２３に誤って信号が入力された場合には、ユーザからの指示がなくとも、ユーザに対し、警告を行うことが好ましい。一例としては、図８に示すような警告画像が表示されることが好ましい。ユーザに警告を行うことによって、ケーブルが誤接続であることをユーザがいち早く認識することができる。
【０１０１】
なお、上記の説明では、制御部１４は、光出力端子２１に光ケーブルが接続されているか否かを判別しない構成としたが、本発明はこれに限られるものではない。
【０１０２】
例えば、光出力端子２１に、光ケーブルが接続されているか否かに応じて異なった信号を出力するセンサーを設け、当該センサーからの信号を制御部１４にて判定することにより、光出力端子２１に光ケーブルが接続されているか否かを判別するようにしてもよい。また、それに応じて、光ケーブルが未接続状態の時には、表示部１５において、表示装置１の図像の光出力端子２１に対応した位置に「端子が未接続状態」であることを示すアイコンを表示させるようにしてもよい。
【０１０３】
また、光出力端子２１に、表示装置１の外部から光信号が入力されているか否かに応じて異なった信号を出力する光センサーを設け、当該光センサーからの信号を制御部１４にて判定することにより、光出力端子２１に表示装置１の外部から光信号が入力されているか否かを判別するようにしてもよい。また、それに応じて、光出力端子２１に表示装置１の外部から光信号が入力されている場合には、表示部１５において、表示装置１の図像の光出力端子２１に対応した位置に「誤った接続状態」であることを示すアイコンを表示させるようにしてもよい。
【０１０４】
また、制御部１４は、光出力端子２１が「端子が未接続状態」であると判定した場合、当該端子への信号の供給を停止するように、入出力部１３を制御することが好ましい。これによって、電力の浪費を抑止することができる。
【０１０５】
（プログラムおよび記録媒体）
最後に、表示装置１の制御部１４に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１０６】
すなわち、制御部１４は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても達成できる。
【０１０７】
この記録媒体は、上述した機能を実現するソフトウェアである制御部１４のプログラムのプログラムコード（実行形式プログラム、中間コードプログラム、ソースプログラム）をコンピュータで読み取り可能に記録していればよい。制御部１４に、この記録媒体を供給する。これにより、コンピュータとしての制御部１４（またはＣＰＵやＭＰＵ）が、供給された記録媒体に記録されているプログラムコードを読み出し、実行すればよい。
【０１０８】
プログラムコードを制御部１４に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１０９】
また、表示装置１を通信ネットワークと接続可能に構成しても、本発明の目的を達成できる。この場合、上記のプログラムコードを、通信ネットワークを介して表示装置１に供給する。この通信ネットワークは表示装置１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１１０】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１１１】
なお、本発明は、ケーブルを介した有線通信接続に限定されるものではなく、Ｂｌｕｅｔｏｏｔｈ（登録商標）や、高速赤外線無線通信方式ＩｒＳｉｍｐｌｅ（登録商標）などの無線通信接続の場合にも好適に適用することができる。
【０１１２】
すなわち、本発明に係る表示装置１は、入力端子２５、出力端子２３、および、入出力端子２６に代えて、有線伝送路又は無線伝送路を介して他の装置と通信する通信部を備えた表示装置であって、当該表示装置における上記通信部の位置を表す位置情報に関連付けて、上記伝送路を介して通信可能な状態であるか否かを示す接続情報を表示する接続情報表示手段を備えるような構成としてもよい。
【０１１３】
本発明に係る表示装置１は、上記のような構成をとることにより、無線通信接続の場合であっても、自身における上記通信部の位置を表す位置情報に関連付けて、上記伝送路を介して通信可能な状態であるか否かを示す接続情報を表示することができる。
【０１１４】
また、本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【産業上の利用可能性】
【０１１５】
本発明は、テレビジョン受像機やディスプレイ等の表示装置に好適に適用することができる。
【符号の説明】
【０１１６】
１    表示装置
１１  チューナ部
１２  操作部
１３  入出力部
１４  制御部（接続情報表示手段）
１５  表示部
ＳＰ  スピーカ
２１  光出力端子
２２  ＨＰ端子
２３  出力端子
２４  比較部
２５  入力端子
２６  入出力端子
【図１】
2011087254.tif 000003
【図２】
2011087254.tif 000004
【図３】
2011087254.tif 000005
【図４】
2011087254.tif 000006
【図５】
2011087254.tif 000007
【図６】
2011087254.tif 000008
【図７】
2011087254.tif 000009
【図８】
2011087254.tif 000010